(57)【要約】【課題】電子機器において、バッテリパックからの電源供給時の安全性を確保するとともに、そのバッテリパックと共通の端子に安価なＡＣアダプタを接続して使用できるようにする。【解決手段】バッテリパックおよびＡＣアダプタの双方に対して共通に設けられた電源端子を介して印加された電源電圧を、所定の判定基準電圧と比較し（ステップＳ２）、電源電圧が判定基準電圧より低い場合には、通信端子を介してバッテリパック内の制御部と通信させて、通信相手が正規のバッテリパックであると判定された場合（ステップＳ５）にのみ、電源電圧を電子機器の内部に供給させるように制御する（ステップＳ６）。また、電源電圧が判定基準電圧以上の場合（ステップＳ２）には、認証処理を実行することなく、電源電圧を電子機器の内部に供給させる（ステップＳ６）。【選択図】図５
2007318943.tif 000002
【特許請求の範囲】
【請求項１】
外部電源として二次電池とＡＣアダプタとを使用可能な電子機器において、
前記二次電池が収容されたバッテリパックおよび前記ＡＣアダプタの双方に対して共通に設けられた電源端子と、
前記バッテリパックが前記電源端子に接続されたときに、当該バッテリパックに収容された制御部との間で通信するための通信端子と、
前記通信端子を介して前記バッテリパック内の前記制御部と通信し、通信相手が正規の前記バッテリパックであると判定した場合にのみ、前記電源端子に対して印加された電圧を前記電子機器の内部に供給させる認証処理部と、
前記電源端子に対する印加電圧を所定の基準電圧と比較する電圧比較部と、
前記電圧比較部による比較結果に基づき、前記電源端子に対する印加電圧が前記基準電圧より低い場合には、前記認証処理部による前記バッテリパック内の前記制御部との通信・認証処理を実行させ、前記電源端子に対する印加電圧が前記基準電圧以上の場合には、前記認証処理部を動作させることなく、前記電源端子に対する印加電圧を前記電子機器の内部に供給させる電源判定部と、
を有することを特徴とする電子機器。
【請求項２】
前記基準電圧は、前記ＡＣアダプタから供給される規定の電圧より低く、かつ当該規定の電圧の近傍の電圧であることを特徴とする請求項１記載の電子機器。
【請求項３】
前記電源判定部は、前記電子機器の電源投入時を起点として一定時間ごとに前記電圧比較部による比較結果を参照し、前記電源端子に対する印加電圧が前記基準電圧より低くなるまで、比較結果に基づく電源判定動作を繰り返し実行することを特徴とする請求項１記載の電子機器。
【請求項４】
前記認証処理部により、通信相手が正規の前記バッテリパックでないと判定された場合には、電源オフ状態に移行することを特徴とする請求項１記載の電子機器。
【請求項５】
種々の画像を表示する画像表示部をさらに有し、
前記認証処理部により、通信相手が正規の前記バッテリパックでないと判定された場合には、当該バッテリパックが使用不能である旨を示す画像情報を前記画像表示部に表示させた後、電源オフ状態に移行することを特徴とする請求項１記載の電子機器。
【請求項６】
前記バッテリパックと前記ＡＣアダプタの電源供給端子とを共通に装着可能な電源装着部をさらに有することを特徴とする請求項１記載の電子機器。
【請求項７】
外部電源として二次電池とＡＣアダプタとを使用可能な電子機器における電源識別方法であって、
電圧比較部が、前記二次電池が収容されたバッテリパックおよび前記ＡＣアダプタの双方に対して共通に設けられた電源端子を介して印加された電圧を、所定の基準電圧と比較し、
電源判定部が、前記電圧比較部による比較結果に基づき、前記電源端子に対する印加電圧が前記基準電圧より低い場合には、認証処理部に対して、通信端子を介して前記バッテリパック内の制御部と通信させて、通信相手が正規の前記バッテリパックであると判定された場合にのみ、前記電源端子に対して印加された電圧を前記電子機器の内部に供給させるように制御し、前記電源端子に対する印加電圧が前記基準電圧以上の場合には、前記認証処理部を動作させることなく、前記電源端子に対する印加電圧を前記電子機器の内部に供給させる、
ことを特徴とする電源識別方法。
【発明の詳細な説明】
【技術分野】
【０００１】
本発明は、外部電源として二次電池とＡＣアダプタとを使用可能な電子機器、およびその電子機器における電源識別方法に関し、特に、二次電池とＡＣアダプタとの共通の電源端子を備えた電子機器、およびその電子機器における電源識別方法に関する。
【背景技術】
【０００２】
近年、例えばデジタルスチルカメラなどの携帯型の電子機器が急増しており、これらの電子機器に搭載される二次電池の性能が重要視されている。また、このような電子機器では、製品あるいは製品群ごとに専用の二次電池が使用されることが多い。これは、各二次電池のパッケージに、過電流や短絡などの発生時における危険防止のための保護回路や制御回路などが収容されており、これらの回路の仕様が製品ごとに異なるためである。なお、このように、二次電池本体や保護回路などを一体のパッケージに収容したものは、バッテリパックと呼ばれている。
【０００３】
しかし、近年では、各製品の販売者が認めていない第３者が安価に製造した模倣バッテリパックが流通していることが問題となっている。特に、このような模倣バッテリパックには、危険防止のための保護回路などを内蔵していないものがあり、そのことが原因と考えられるバッテリの発火、破裂などの事故も報告されている。
【０００４】
このため、従来のバッテリパックには、マイクロコンピュータおよび外部機器（すなわち電源供給先の電子機器）との通信機能を内蔵したものがあり（例えば、特許文献１参照）、この通信機能により電子機器に装着された際にその電子機器と通信し、電子機器との間で模倣バッテリを排除するための認証処理を行うようにしたものがあった。すなわち、このようなバッテリパックでは、電子機器側で正しく認証された場合にのみ電源供給できるようにすることで、その電子機器の純正のバッテリパックのみが使用可能となり、安全性を確保できる。
【０００５】
図７は、バッテリパックからの電源供給を受けて動作する従来の電子機器の構成例を示す図である。ここでは、電子機器の例として、撮像装置（デジタルスチルカメラ）を挙げて説明する。
【０００６】
図７に示す撮像装置１００には、バッテリパック２００を装着するための装着部１０１が設けられている。また、バッテリパック２００には、それぞれ正極、負極の電源端子２０１および２０２とともに、撮像装置１００と通信するための通信端子２０３が設けられている。そして、装着部１０１に装着されたときに、バッテリパック２００の電源端子２０１および２０２から撮像装置１００に対して電源が供給されるとともに、通信端子２０３を介してバッテリパック２００と撮像装置１００との間で認証処理が実行され、撮像装置１００がバッテリパック２００を正規のものと判定した場合にのみ、このバッテリパック２００からの電源供給が続行されて、撮像装置１００を使用できるようになる。
【０００７】
さらに、二次電池により駆動される電子機器には、二次電池だけでなく商用ＡＣ電源による駆動も可能であるものも多く、その中には特に、外部のＡＣアダプタを介して商用ＡＣ電源の供給を受けるものも多い。図７に示した撮像装置１００では、バッテリパック２００の装着部１０１とともに、ＡＣアダプタ３００の端子３０１が接続されるＡＣ電源端子１０２が設けられており、撮像装置１００はこのＡＣ電源端子１０２から供給される電圧により動作することもできる。
【０００８】
しかし、この図７の例のように、二次電池およびＡＣアダプタの両方を接続可能な電子機器では、それぞれのために接続端子や装着スペースを設ける必要があるために、その機器の外装筐体が小型化できなくなるという問題がある。そこで、二次電池（バッテリパック）とＡＣアダプタ（またはその端子部）との間で外装筐体の形状や電源供給端子位置などを共通化し、バッテリパックの装着位置にＡＣアダプタ（またはその端子部）も装着できるようにすることが考えられている。また、このような電子機器として、供給される電圧の値を基に、二次電池が接続されているか、あるいはＡＣアダプタが接続されているかを自動的に判別できるようにしたものがあった（例えば、特許文献２参照）。
【特許文献１】特許第３５７５６４６号公報（段落番号〔００１０〕〜〔００１８〕、図２）
【特許文献２】特開平９−２９８８４１号公報（段落番号〔００３１〕〜〔００３８〕、図９）
【発明の開示】
【発明が解決しようとする課題】
【０００９】
ところで、上記のようにバッテリパックとＡＣアダプタ（またはその端子部）とを共通の位置に装着し、電源供給端子も共通化したときに、バッテリパックが電子機器との間の通信・認証機能を持つ場合には、ＡＣアダプタについても、同様な通信・認証機能を搭載しておく必要がある。しかし、そのような通信・認証機能を搭載するとＡＣアダプタの製造コストが高くなってしまうという問題があった。逆に、ＡＣアダプタにそのような通信・認証機能を設けない場合には、バッテリパックと共通の各種端子が使用できなくなり、端子数が多くなるなど、電子機器側の製造コストが高くなってしまうという問題があった。
【００１０】
本発明はこのような点に鑑みてなされたものであり、バッテリパックからの電源供給時の安全性が保たれるとともに、そのバッテリパックと共通の端子に安価なＡＣアダプタを接続して使用できるようにした電子機器、およびその電子機器における電源識別方法を提供することを目的とする。
【課題を解決するための手段】
【００１１】
本発明では上記課題を解決するために、外部電源として二次電池とＡＣアダプタとを使用可能な電子機器において、前記二次電池が収容されたバッテリパックおよび前記ＡＣアダプタの双方に対して共通に設けられた電源端子と、前記バッテリパックが前記電源端子に接続されたときに、当該バッテリパックに収容された制御部との間で通信するための通信端子と、前記通信端子を介して前記バッテリパック内の前記制御部と通信し、通信相手が正規の前記バッテリパックであると判定した場合にのみ、前記電源端子に対して印加された電圧を前記電子機器の内部に供給させる認証処理部と、前記電源端子に対する印加電圧を所定の基準電圧と比較する電圧比較部と、前記電圧比較部による比較結果に基づき、前記電源端子に対する印加電圧が前記基準電圧より低い場合には、前記認証処理部による前記バッテリパック内の前記制御部との通信・認証処理を実行させ、前記電源端子に対する印加電圧が前記基準電圧以上の場合には、前記認証処理部を動作させることなく、前記電源端子に対する印加電圧を前記電子機器の内部に供給させる電源判定部とを有することを特徴とする電子機器が提供される。
【００１２】
この電子機器は、共通の電源端子に対して、二次電池が収容されたバッテリパック、またはＡＣアダプタの一方を接続して、電源の供給を受けることができる。また、バッテリパックが電源端子に接続されたときには、そのバッテリパックに収容された制御部との間で通信端子を介して通信することができる。この電子機器において、電圧比較部は、電源端子に対する印加電圧を所定の基準電圧と比較する。この基準電圧は、例えば、ＡＣアダプタから供給される規定の電圧より低く、かつその規定の電圧の近傍の電圧とされる。電源判定部は、電圧比較部による比較結果に基づき、電源の判定動作を行う。
【００１３】
電源端子に対する印加電圧が基準電圧より低い場合、電源判定部は、認証処理部によるバッテリパック内の制御部との通信・認証処理を実行させる。認証処理部は、通信端子を介してバッテリパック内の制御部と通信し、通信相手が正規のバッテリパックであると判定した場合にのみ、電源端子に対して印加された電圧をこの電子機器の内部に供給させる。また、電源端子に対する印加電圧が基準電圧以上の場合、電源判定部は、ＡＣアダプタが接続されていると判断して、認証処理部を動作させることなく、電源端子に対する印加電圧をこの電子機器の内部に供給させる。
【発明の効果】
【００１４】
本発明によれば、二次電池が収容されたバッテリパックおよびＡＣアダプタの双方に対して電源端子が共通に設けられたので、電子機器本体を小型化できる。また、電圧比較部による比較結果に基づいて、バッテリパックあるいはＡＣアダプタのどちらが接続されたかを判断し、バッテリパックが接続されていると判断した場合には、通信および認証処理によりそのバッテリパックが正規のものであると判定した場合のみ、電源端子への印加電圧を電子機器内部に供給させることで、正規のバッテリパックのみ使用可能として安全性が高められる。また、ＡＣアダプタが接続されていると判断した場合には、通信および認証処理を行うことなく、ＡＣアダプタからの電圧を電子機器内部に供給させることで、通信・認証機能を持たない安価なＡＣアダプタを使用可能になる。従って、バッテリパックからの電源供給時の安全性を損なうことなく、安価なＡＣアダプタからの電源供給によっても動作可能な商品価値の高い電子機器を提供できるようになる。
【発明を実施するための最良の形態】
【００１５】
以下、本発明の実施の形態を、デジタルスチルカメラあるいはデジタルビデオカメラなどとして実現される撮像装置に適用した場合を例に、図面を参照して詳細に説明する。
図１は、本発明の実施の形態に係る撮像装置と、これに搭載されるバッテリパックおよびＡＣアダプタの外観を示す図である。
【００１６】
図１に示す撮像装置１は、バッテリパック２に収容された二次電池からの電源供給を受けて駆動されるとともに、二次電池の代わりにＡＣアダプタ３からの電源供給を受けて駆動できるようになっている。バッテリパック２の外面には、撮像装置１への給電用の正極端子２１および負極端子２２とともに、撮像装置１との通信用の通信端子２３が設けられている。一方、撮像装置１には、バッテリパック２を装着するための装着部１０が設けられており、この装着部１０にバッテリパック２が装着されると、正極端子２１および負極端子２２を通じて撮像装置１に電源が供給されるとともに、通信端子２３を介して、撮像装置１とバッテリパック２とが通信できるようになっている。後述するように、撮像装置１は、バッテリパック２と通信して、このバッテリパック２が正規のものか否かを認証する機能を備えている。
【００１７】
また、ＡＣアダプタ３には、撮像装置１に接続するための接続ユニット３０が接続されている。この接続ユニット３０の外装はバッテリパック２と同じ形状・大きさとされており、この接続ユニット３０をバッテリパック２と同様に、撮像装置１の装着部１０に装着できるようになっている。また、接続ユニット３０には、バッテリパック２上の正極端子２１および負極端子２２に対応する位置に、それぞれＡＣアダプタ３からの給電用の正極端子３１および負極端子３２が設けられている。これにより、撮像装置１では、バッテリパック２および接続ユニット３０のいずれかが装着部１０に装着されたときに、それぞれに共通の端子を通じて電源の供給を受けることが可能になっている。
【００１８】
なお、本実施の形態では、バッテリパック２とＡＣアダプタ３の接続ユニット３０とを同じ形状としているが、接続ユニット３０としては、撮像装置１の装着部１０に装着可能で、かつ、装着部１０の内部に設けられたバッテリパック２と共通の端子に対して、正極端子３１および負極端子３２を接続できるように構成されていればよい。
【００１９】
図２は、撮像装置およびバッテリパックの内部構成を示すブロック図である。
図２に示すように、撮像装置１は、電源供給を受けるための正極端子１１および負極端子１２、通信端子１３、マイクロコンピュータ１４、レギュレータ１５、撮像・記録処理部１６、表示部１７などを備えている。また、バッテリパック２は、バッテリセル２４、マイクロコンピュータ２５などを備えている。
【００２０】
撮像装置１にバッテリパック２が装着されると、バッテリパック２の正極端子２１、負極端子２２および通信端子２３が、それぞれ撮像装置１の正極端子１１、負極端子１２および通信端子１３に接続される。そして、正極端子１１および負極端子１２を通じてバッテリパック２から撮像装置１に電源が供給される。
【００２１】
撮像装置１のマイクロコンピュータ１４は、この撮像装置１の動作を統括的に制御する制御部である。このマイクロコンピュータ１４は、通信端子１３を通じてバッテリパック２内のマイクロコンピュータ２５と通信し、バッテリパック２に対する認証処理を実行する機能を備えている。そして、マイクロコンピュータ１４は、通信相手のバッテリパック２が正規のものではないと判定した場合、撮像装置１を電源オフの状態に移行させて、不正なバッテリパックを使用できないように制御する。また、マイクロコンピュータ１４は、正極端子１１および負極端子１２の間の電位差（すなわち電源電圧）を検出して、バッテリパック２あるいはＡＣアダプタ３の接続ユニット３０のどちらが装着されたかを判別する機能も備えている。
【００２２】
レギュレータ１５は、正極端子１１および負極端子１２に印加された電源電圧を所定の電圧に安定化して、装置内部に供給する。撮像・記録処理部１６は、画像の撮像や、撮像により得られた画像データの記録媒体への記録、撮像中の画像や記録された画像の表示データの生成などの処理を行うブロックである。表示部１７は、例えばＬＣＤ（Liquid Crystal Display）などを備え、撮像・記録処理部１６およびマイクロコンピュータ１４において生成された表示データを受けて画像を表示する。
【００２３】
一方、バッテリパック２は、バッテリセル２４が発生する電圧を正極端子２１および負極端子２２を通じて撮像装置１に供給する。マイクロコンピュータ２５は、通信端子２３を介して撮像装置１のマイクロコンピュータ１４と通信し、マイクロコンピュータ１４から送信される認証情報を処理して応答する。
【００２４】
また、マイクロコンピュータ２５は、バッテリセル２４の充電・放電時における安全性を保つための保護機能を備えている。例えば、マイクロコンピュータ２５は、バッテリセル２４の電圧または電流の値が過剰になった場合に、充電電流または放電電流を遮断するように制御する。これにより、過剰な温度上昇によるバッテリパック２の発火、破裂、変形などの異常事態を防止することができる。
【００２５】
なお、撮像装置１のマイクロコンピュータ１４は、バッテリパック２のバッテリセル２４の残量を表示する機能を備えていてもよい。この場合、例えば、バッテリパック２のマイクロコンピュータ２５は、バッテリセル２４の充放電電流を一定周期で積算する。そして、撮像装置１のマイクロコンピュータ１４は、バッテリパック２のマイクロコンピュータ２５から充放電電流の積算値を取得し、その値と撮像装置１側の消費電力などを基にバッテリセル２４を使用可能な残り時間を計算し、表示部１７に表示させる。
【００２６】
図３は、ＡＣアダプタおよびその接続ユニットの内部構成を示すブロック図である。
図３に示すように、ＡＣアダプタ３は、商用ＡＣ電源４から供給されたＡＣ電圧を直流化するＡＣ／ＤＣコンバータ３ａを備え、変換したＤＣ電圧を、接続ユニット３０の正極端子３１および負極端子３２を介して、撮像装置１に供給する。なお、接続ユニット３０には、ＡＣアダプタ３が備える回路の一部が設けられてもよい。また、ＡＣアダプタ３自体を接続ユニット３０に一体化した構成としてもよい。
【００２７】
以上の撮像装置１では、バッテリパック２とＡＣアダプタ３の接続ユニット３０とを共通の装着部１０に装着できるようにし、バッテリパック２およびＡＣアダプタ３からの供給電圧を共通の給電端子（正極端子１１および負極端子１２）を通じて受ける構成としたことで、給電端子や装着部など、バッテリパック２およびＡＣアダプタ３のそれぞれのための回路や機構の設置スペースが削減されて、撮像装置１が小型化され、かつ、内部回路が簡素化されて製造コストが抑制される。また、バッテリパック２が装着された場合には、このバッテリパック２と通信して認証処理を行い、装着されたバッテリパック２が保護機能を備えた正規のものか否かを判定できるようになっており、これによりメーカが安全性を確認していない模倣品のバッテリパックが排除され、バッテリパック使用時の安全性が高められている。
【００２８】
一方、図３に示したように、ＡＣアダプタ３およびその接続ユニット３０は、いずれもバッテリパック２が備えるような通信・認証機能、およびこのような機能を実現するためのマイクロコンピュータを備えていない。このような構成により、ＡＣアダプタ３および接続ユニット３０の製造コストを抑制することができる。
【００２９】
しかし、このような構成では、接続ユニット３０を撮像装置１に装着したとき、撮像装置１側では接続ユニット３０と通信できないことになるので、この接続ユニット３０を不正なバッテリパックであると認識してしまい、給電を受け付けなくなる。そこで、本実施の形態では、撮像装置１において、給電端子間の印加電圧を基にバッテリパック２あるいは接続ユニット３０のどちらが装着されたかを判定し、バッテリパック２が装着されたと判定した場合にのみ通信・認証処理を実行するようにする。これにより、通信・認証機能を備えない安価なＡＣアダプタ３および接続ユニット３０を使用できるようにする。
【００３０】
図４は、バッテリセルの電圧の遷移を示すグラフである。この図４には、バッテリセル２４の出力電圧とともに、ＡＣアダプタ３の出力電圧、および上述した電源判定のための判定基準電圧も併せて示している。
【００３１】
ＡＣアダプタ３は、常に一定の電圧を出力する。ここでは例として、規定されたＡＣアダプタ３の出力電圧を４．２Ｖとしている。一方、バッテリセル２４に規定された出力電圧も基本的にＡＣアダプタ３と同じであるが、バッテリセル２４は、満充電された状態から時間の経過とともに出力電圧が徐々に低下するという特性を持つ。図４では例として、リチウムイオン型二次電池の場合の温度２５℃および０℃における出力電圧の遷移を示している。
【００３２】
この図のように、バッテリセル２４は、放電開始直後ではＡＣアダプタ３の出力電圧とほぼ同じ電圧を出力するが、放電開始後まもなく出力電圧が低下する。このような放電特性は、リチウムイオン型二次電池に限らず、すべての二次電池に概ね共通している。そこで、ＡＣアダプタ３の出力電圧よりわずかに低い値を判定基準値とすることで、ＡＣアダプタ３の接続ユニット３０が接続されたか、あるいはバッテリセル２４が接続されたかを判定することが可能になる。本実施の形態では、例として判定基準値を４．０Ｖとしている。
【００３３】
図５は、撮像装置における電源判定処理の手順を示すフローチャートである。
まず、撮像装置１では、マイクロコンピュータ１４が、ユーザにより電源オンのための操作入力が行われたことを検出する（ステップＳ１）。すると、マイクロコンピュータ１４は、正極端子１１および負極端子１２の間の電源電圧を取得し、この電源電圧と判定基準電圧とを比較する（ステップＳ２）。
【００３４】
電源電圧が判定基準電圧以上であった場合、マイクロコンピュータ１４はＡＣアダプタ３の接続ユニット３０が装着されていると判断して、メインシステムの駆動を開始させる（ステップＳ６）。例えば、レギュレータ１５からの出力電圧を撮像・記録処理部１６および表示部１７に供給して、撮像動作や画像の記録動作が可能となるシステム状態に移行する。
【００３５】
一方、電源電圧が判定基準電圧より低い場合、マイクロコンピュータ１４は認証処理を開始し、まず、通信端子１３を通じて暗証データを送信する（ステップＳ３）。そして、一定時間だけ、暗証データに対する返信データの受信を待機する（ステップＳ４）。ここで、正規（純正）のバッテリパック２が装着されている場合、そのバッテリパック２では、撮像装置１から送信された暗証データを通信端子２３を介してマイクロコンピュータ２５が受信し、あらかじめ保持していた鍵情報などを用いてこの暗証データを解読する。解読に成功した場合、例えば解読の過程で用いた情報などを用いて返信データを生成し、通信端子２３を介して撮像装置１に送信する。
【００３６】
撮像装置１のマイクロコンピュータ１４は、暗証データの送信から一定時間以内に返信データを受信すると（ステップＳ４）、その返信データを解読して正しいデータか否かを判定する（ステップＳ５）。正しい返信データと判定した場合、マイクロコンピュータ１４は、純正のバッテリパック２が装着されていると判断して、メインシステムの駆動を開始させる（ステップＳ６）。
【００３７】
また、返信データが正しいデータではないと判定した場合（ステップＳ５）、および、暗証データの送信から一定時間以内に返信データを受信しなかった場合（ステップＳ４）には、マイクロコンピュータ１４は、模倣バッテリパックが装着されていると判断する。そして、そのバッテリパックが使用不能であることを示す表示情報を、表示部１７に対して一定時間表示させ（ステップＳ９）、その後に電源オフの状態に移行する（ステップＳ１０）。なお、バッテリパック側が暗証データを解読できない場合や、そのバッテリパックが暗証データの解読機能（すなわち認証機能）を持たない場合には、返信データが送信されないので、マイクロコンピュータ１４は、ステップＳ４において暗証データの送信から一定時間以内に返信データを受信しなかったことで、模倣バッテリパックが装着されていると判断できる。
【００３８】
ここで、図６は、上記のステップＳ９において、バッテリパックが使用不能であることを示す表示情報の画面表示例を示す図である。
この図６では、表示部１７として、撮像装置１の背面に設けられた画角確認用のＬＣＤ１７ａが用いられ、このＬＣＤ１７ａに、装着されたバッテリパックが使用不能であることが文字情報により表示されている。模倣バッテリパックが装着されていると判断すると、撮像装置１は、このような表示を一定時間（例えば５秒）行った後、電源がオフになって使用不能の状態になる。
【００３９】
以下、図５に戻って説明する。メインシステムの駆動が開始（ステップＳ６）された後、マイクロコンピュータ１４は、ユーザにより電源をオフするための操作入力が行われたか否かを判定し（ステップＳ７）、操作入力が行われたと判定すると、電源オフの状態に移行する（ステップＳ１０）。また、操作入力が行われなかった場合には、一定時間が経過したか否かを判定し（ステップＳ８）、一定時間が経過するまで電源オフのための操作入力を監視する（ステップＳ７）。そして、メインシステムの駆動開始から一定時間が経過すると（ステップＳ８）、マイクロコンピュータ１４は、再び、正極端子１１および負極端子１２の間の電源電圧を取得し、ステップＳ２以下の処理を実行する。
【００４０】
以上の処理によれば、電源電圧が判定基準電圧より低ければ、バッテリパックから電源が供給されていると判断して、そのバッテリパックに対する認証処理を行うようにしたことで、保護機能を備えない危険な模倣バッテリパックの使用を不可能にすることができ、バッテリパック使用時の安全性を確実に高めることができる。これとともに、電源電圧が判定基準電圧以上であれば、ＡＣアダプタ３から電源が供給されていると判断できるので、認証処理を行わずにメインシステムの駆動を開始し、撮像装置１を通常使用可能な状態とするので、通信・認証機能やマイクロコンピュータを持たない安価なＡＣアダプタ３や接続ユニット３０も問題なく使用できる。従って、使用時の安全性が向上され、かつ付属品（ＡＣアダプタ３など）を含めた価格が抑えられた小型の撮像装置１を実現できる。
【００４１】
また、図４に示したように、満充電直後のバッテリパックの出力電圧は判定基準電圧以上となり得るので、この状態では認証処理が実行されず、模倣バッテリパックが使用可能になってしまう。しかし、上記処理では、メインシステムの駆動開始後、一定時間ごとに電源電圧と判定基準電圧とを比較して電源判定を実行するので、一旦は使用できた模倣バッテリパックでも、その後の出力電圧の低下に伴って使用不可能になる。図４に示したように、二次電池の出力電圧は放電開始後まもなく低下するので、模倣バッテリパックが使用可能な時間はせいぜい数分間程度となる。このため、バッテリパック使用時の安全性を確実に向上させることができる。
【００４２】
なお、図５の処理においては、電源が正規のバッテリパックであると判断した場合には、その後に電源電圧と判定基準電圧との比較処理（ステップＳ２）を行わないようにしてもよい。すなわち、少なくとも、電源がＡＣアダプタであると判定されている間は、一定時間ごとに電源電圧と判定基準電圧との比較処理を繰り返し実行することで、模倣バッテリパックの継続使用を不可能にすることができる。
【００４３】
また、以上の実施の形態では、本発明を撮像装置に適用した場合について説明したが、本発明は、二次電池とＡＣアダプタの双方を用いて駆動可能ないかなる電子機器にも適用可能である。
【図面の簡単な説明】
【００４４】
【図１】本発明の実施の形態に係る撮像装置と、これに搭載されるバッテリパックおよびＡＣアダプタの外観を示す図である。
【図２】撮像装置およびバッテリパックの内部構成を示すブロック図である。
【図３】ＡＣアダプタおよびその接続ユニットの内部構成を示すブロック図である。
【図４】バッテリセルの電圧の遷移を示すグラフである。
【図５】撮像装置における電源判定処理の手順を示すフローチャートである。
【図６】バッテリパックが使用不能であることを示す表示情報の画面表示例を示す図である。
【図７】バッテリパックからの電源供給を受けて動作する従来の電子機器の構成例を示す図である。
【符号の説明】
【００４５】
１……撮像装置、２……バッテリパック、３……ＡＣアダプタ、３ａ……ＡＣ／ＤＣコンバータ、４……商用ＡＣ電源、１０……装着部、１１，２１，３１……正極端子、１２，２２，３２……負極端子、１３，２３……通信端子、１４，２５……マイクロコンピュータ、１５……レギュレータ、１６……撮像・記録処理部、１７……表示部、２４……バッテリセル、３０……接続ユニット
【図１】
2007318943.tif 000003
【図２】
2007318943.tif 000004
【図３】
2007318943.tif 000005
【図４】
2007318943.tif 000006
【図５】
2007318943.tif 000007
【図６】
2007318943.tif 000008
【図７】
2007318943.tif 000009